(57)【要約】【課題】少なくとも１つの映像入力手段のいずれか一つの映像信号を表示しながら、複数の音声信号や、その混合音声信号を自在に切り替えて出力できるようにした表示装置を提供する。【解決手段】この発明にかかる表示装置１００は、少なくとも１つの映像入力手段と、複数の音声入力手段と、前記映像入力手段から入力された映像信号による映像を表示する表示部である表示手段６と、前記音声入力手段から入力された音声信号を混合し、混合音声信号を出力する混合器１と、各々の音声入力手段から入力された音声信号を出力するか、前記混合器を介し入力された混合音声信号を出力するかを選択する、音声セレクタ２と、前記音声セレクタ２において選択された前記音声信号または前記混合音声信号による音声を外部に出力する、音声出力手段４と、前記混合器１と、前記音声セレクタ２とを制御する、制御手段３とを備える。【選択図】  図１
2010135952.tif 000002
【特許請求の範囲】
【請求項１】
少なくとも１つの映像入力手段と、
複数の音声入力手段と、
前記映像入力手段から入力された映像信号による映像を表示する表示部と、
前記音声入力手段から入力された音声信号を混合し、混合音声信号を出力する混合器と、
各々の音声入力手段から入力された音声信号を出力するか、前記混合器を介し入力された混合音声信号を出力するかを選択する、音声セレクタと、
前記音声セレクタにおいて選択された前記音声信号または前記混合音声信号による音声を外部に出力する、音声出力手段と、
前記混合器と、前記音声セレクタとを制御する、制御手段と、
を備える、表示装置。
【請求項２】
前記少なくとも１つの映像入力手段は、複数の映像入力手段であり、
前記表示部に表示する映像の映像信号を、前記複数の映像入力手段から入力される映像信号から選択する映像セレクタをさらに備え、
前記制御手段は、前記映像セレクタにおける前記映像信号の選択を制御する、
請求項１に記載の表示装置。
【請求項３】
前記制御手段は、前記映像セレクタに対する制御を、前記音声セレクタにおける前記音声信号または前記混合音声信号の選択と同期して、または独立して行う、
請求項２に記載の表示装置。
【請求項４】
前記混合器に入力される各前記音声信号の音量を、それぞれ独立に調整する調整器をさらに備え、
前記制御手段は、前記調整器における各前記音量の設定を制御する、
請求項１〜３のいずれかに記載の表示装置。
【請求項５】
前記音声入力手段から入力される各前記音声信号の信号レベルを検知する検知器をさらに備え、
前記制御手段は、前記検知器における前記信号レベルに応じて、前記混合器、前記音声セレクタの制御を行う、
請求項１〜４のいずれかに記載の表示装置。
【請求項６】
前記制御手段は、前記検知器における前記信号レベルが所定値を超えるか否かで、各前記音声信号の入力の有無を判断し、
存在する入力が１つと判断される場合は、存在すると判断される１つの音声信号を出力するように前記音声セレクタを制御し、存在する入力が複数と判断される場合は、存在すると判断される複数の音声信号を混合し、混合した音声信号を出力するように前記混合器、および前記音声セレクタを制御する、
請求項５に記載の表示装置。
【請求項７】
前記検知器において検知した各前記信号レベルと、前記調整器のゲインとの関係を記録する記憶部をさらに備え、
前記制御手段は、前記記憶部においてあらかじめ記録した前記関係に応じて、前記調整器のゲインを制御する、
請求項６に記載の表示装置。
【請求項８】
前記記憶部は、前記音声信号の前記検知器における前記信号レベルが大きいとき前記調整器のゲインを下げ、前記音声信号の前記検知器における前記信号レベルが小さいとき前記調整器のゲインを上げる関係を記録する、
請求項５〜７のいずれかに記載の表示装置。
【請求項９】
前記制御手段を操作する操作部をさらに備える、
請求項１〜８のいずれかに記載の表示装置。
【発明の詳細な説明】
【技術分野】
【０００１】
本発明は、少なくとも１つの映像入力手段と複数の音声入力手段を備えた表示装置に関する。
【背景技術】
【０００２】
従来の複数の映像入力手段と音声入力手段を備えた表示装置は、一つの映像信号の表示と同期して、音声出力手段から映像信号と対応した一つの音声信号を外部に出力するか、もしくは同時に複数の映像信号を分割表示しながら表示中の映像信号のいずれか一つの映像信号に対応した音声信号を音声出力手段から出力する、というように、表示装置内の音声信号切り替え用のセレクタの制御を行い、表示をしていた（特許文献１参照）。
【０００３】
【特許文献１】特開２００８−１７７９７４号公報
【発明の開示】
【発明が解決しようとする課題】
【０００４】
図６に示すように、従来の複数の映像入力手段と音声入力手段を備えた表示装置を使い、各映像入力手段と音声入力手段にそれぞれ別の信号源を接続する場合、映像入力１を表示すると、音声出力手段からは映像入力１に対応した音声入力１の音声信号を出力するが、音声入力２の音声信号を出力したい場合は、音声信号と同期して表示する映像信号を映像入力２に切り替えなければならないといった問題があった。また、映像入力１だけを表示しながら音声入力１と音声入力２の両方の音声信号を外部に出力することはできないといった問題があった。
【０００５】
例えばマイクを使ったプレゼンテーションにおいて、音声入力１に講演者が使うマイクの音声信号を接続し、信号源からの映像信号を映像入力１に接続する場合、同時に信号源の音声信号（映像入力１に対応する音声信号）を表示装置から出力することはできない。マイクを音声入力２に接続した場合は、マイクの音声を出力するためには表示映像を一時的に映像入力２に切り替える必要があるため、不便であるという問題があった。
【０００６】
本発明は、上記の問題を解決すべくなされたもので、少なくとも１つの映像入力のいずれか一つの映像信号を表示しながら、複数の音声入力手段からの音声信号やその混合音声信号を外部に自在に切り替えて出力できる表示装置を提供することを目的とする。
【課題を解決するための手段】
【０００７】
この発明にかかる表示装置は、少なくとも１つの映像入力手段と、複数の音声入力手段と、前記映像入力手段から入力された映像信号による映像を表示する表示部と、前記音声入力手段から入力された音声信号を混合し、混合音声信号を出力する混合器と、各々の音声入力手段から入力された音声信号を出力するか、前記混合器を介し入力された混合音声信号を出力するかを選択する、音声セレクタと、前記音声セレクタにおいて選択された前記音声信号または前記混合音声信号による音声を外部に出力する、音声出力手段と、前記混合器と、前記音声セレクタとを制御する、制御手段とを備える。
【発明の効果】
【０００８】
この発明によれば、表示装置において、少なくとも１つの映像入力手段と、複数の音声入力手段と、前記映像入力手段から入力された映像信号による映像を表示する表示部と、前記音声入力手段から入力された音声信号を混合し、混合音声信号を出力する混合器と、各々の音声入力手段から入力された音声信号を出力するか、前記混合器を介し入力された混合音声信号を出力するかを選択する、音声セレクタと、前記音声セレクタにおいて選択された前記音声信号または前記混合音声信号による音声を外部に出力する、音声出力手段と、前記混合器と、前記音声セレクタとを制御する、制御手段とを備えることにより、個々の入力の音声信号だけでなく任意の音声信号を混合器で混合した混合音声信号をも音声セレクタに入力して、外部に出力する音声信号を個別の音声信号か混合音声信号かを、ユーザの意思で任意に選択できるようにしたので、少なくとも１つの映像入力のいずれか一つの映像信号を表示しながら、複数の音声入力手段からの音声信号やその混合音声信号を外部に自在に切り替えて出力することが可能となる。
【発明を実施するための最良の形態】
【０００９】
＜Ａ．実施の形態１＞
＜Ａ−１．構成＞
図１はこの発明の実施の形態１の表示装置１００を示す構成図である。
【００１０】
本実施の形態１では、図１に示すように映像入力手段、音声入力手段がともに複数ある場合を考える。
【００１１】
各音声入力手段からの信号は、音声セレクタ２と混合器１に入力されており、音声セレクタ２には従来の構成とは違い、各音声入力だけでなく混合器１からの出力も入力され、音声セレクタ２の出力音声信号は音声出力手段４に入力されている。
【００１２】
一方、各映像入力手段からの映像信号は映像セレクタ５にそれぞれ入力され、映像セレクタ５からの映像信号出力は表示手段６に入力される。
【００１３】
制御手段３は操作部７からの指示で、混合器１と音声セレクタ２と映像セレクタ５の制御を、同期、もしくは各々独立して行える構成とする。
【００１４】
なお、操作部７は、表示装置１００の構成要素として含まない場合でも、外部から入力インターフェース（図示せず）を介して制御手段３にアクセスするような場合であってもよい。
【００１５】
＜Ａ−２．動作＞
このように構成された表示装置１００において、ユーザは操作部７を操作して表示装置１００が備える映像入力手段の中から、どの映像入力手段の映像信号を表示するかを選択する。それと同時に、音声入力手段の中からどの音声入力手段の音声信号を音声出力するかを指示する。
【００１６】
このとき任意の複数の音声入力手段を選択すると、制御手段３は操作部７からの指示に従って、混合器１に対してどの音声入力信号を混合して出力するか制御を行い、混合器１は選択された複数の音声信号を混合して音声セレクタ２に対して出力する。
【００１７】
さらに制御手段３は、音声セレクタ２に対し、混合器１から入力された混合音声信号か、混合器１を介さずに音声入力手段から入力された単独の音声信号のいずれかを選択して出力するよう制御を行い、選択され音声セレクタ２から出力された音声信号は、音声出力手段４で外部に出力される。したがってユーザが操作部７を操作することで、音声出力手段４からは個々の音声入力手段から入力された音声信号だけでなく、任意の複数の音声入力手段から入力され、混合器１において混合された混合音声信号も出力されることになる。
【００１８】
一方制御手段３は、映像セレクタ５に対し、前述の音声信号の制御と同期もしくは独立して、どの映像信号入力を選択するかの制御を操作部７からの指示に従って行い、映像セレクタ５において選択された映像信号は、表示手段６に表示される。
【００１９】
この動作により、ユーザが任意に指定した映像入力手段からの映像信号を表示し、同時に映像入力手段と対応した音声入力手段からの音声信号を外部出力することができ、もしくはユーザが任意に指定した複数の音声入力手段からの音声信号を混合した混合音声信号を外部出力することができる。
【００２０】
なお、本実施の形態１においては、映像入力手段が複数の場合を示しているが、映像入力手段が１つの場合でも、音声について上記と同様の動作を実現できる。
【００２１】
＜Ａ−３．効果＞
この発明にかかる実施の形態１によれば、表示装置１００において、少なくとも１つの映像入力手段である複数の映像入力手段と、複数の音声入力手段と、前記映像入力手段からの映像信号による映像を表示する表示部である表示手段６と、前記音声入力手段からの音声信号を混合し、混合音声信号を出力する混合器１と、前記音声入力手段からの音声信号を出力するか、前記混合器を介し入力された混合音声信号を出力するかを選択する、音声セレクタ２と、前記音声セレクタ２において選択された前記音声信号または前記混合音声信号による音声を外部に出力する、音声出力手段４と、前記混合器１と、前記音声セレクタ２とを制御する、制御手段３とを備えることで、個々の入力の音声信号だけでなく任意の音声信号を混合器１で混合した信号をも音声セレクタ２に入力して、外部に出力する音声信号を個別の音声信号か混合音声信号かを、ユーザの意思で任意に選択できるようにしたので、映像入力のいずれか一つの映像信号を表示しながら、複数の音声入力手段からの音声信号を外部に出力することが可能となる。
【００２２】
たとえばマイクとパソコンなどの信号源を用いたプレゼンテーションに本表示装置１００を使う場合に、映像入力１と音声入力１にパソコンからの映像信号と音声信号を接続し、さらに音声入力２にマイクからの音声信号を接続する。このとき、メニュー操作もしくはリモコン操作等で、表示する映像には映像入力１を、出力する音声には音声入力１と音声入力２との両方を選択すると、パソコンの映像信号だけを表示しながら、パソコンの音声信号とマイクからの音声信号の両方を外部出力できるので、簡易な構成でプレゼンテーションを行うことができる。
【００２３】
また、この発明にかかる実施の形態１によれば、表示装置１００において、表示部である前記表示手段６に表示する映像の映像信号を、前記複数の映像入力手段から入力される映像信号から選択する映像セレクタ５をさらに備え、前記制御手段３は、前記映像セレクタ５における前記映像信号の選択を制御することで、ユーザが選択した任意の映像入力のいずれか一つの映像信号を表示しながら、複数の音声入力手段からの音声信号を外部に出力することが可能となる。
【００２４】
また、この発明にかかる実施の形態１によれば、表示装置１００において、制御手段３が、前記映像セレクタ５に対する制御を、前記音声セレクタ２における前記音声信号または前記混合音声信号の選択と同期して、または独立して行うことで、ユーザの意思により、任意の映像入力のいずれか一つの映像信号を表示しながら、その映像入力と同期して、または独立に複数の音声入力手段からの音声信号を外部に出力することが可能となる。
【００２５】
また、この発明にかかる実施の形態１によれば、表示装置１００において、前記制御手段３を操作する操作部７をさらに備えることで、制御手段３の操作を行い、表示装置１００を、ユーザの操作によって行うことができる。
【００２６】
＜Ｂ．実施の形態２＞
＜Ｂ−１．構成＞
図２はこの発明の実施の形態２の表示装置１００の中で、音声処理に関する構成部分にいついてのみ示したものである（以下、音声処理部１０１）。
【００２７】
実施の形態１における表示装置１００の音声処理部１０１に対応する部分と比較し、さらに各音声入力に対して出力する音量をそれぞれ独立して調整する調整器８を備え、各音声入力手段からの音声入力は調整器８を介して混合器１に入力されている。
【００２８】
前記制御手段３は、音声セレクタ２、混合器１に加えて、調整器８に対しても制御を行う。他の構成要素に関しては、実施の形態１におけるものと同様であるため、説明を省略する。
【００２９】
＜Ｂ−２．動作＞
操作部７の指示に従い、制御手段３は調整器８の各音声入力に対する出力信号のゲイン設定を行い、その設定に基づき調整器８は各音声入力に対して、音量を個々に調整して混合器１に出力する。
【００３０】
同時に、制御手段３が音声セレクタ２に対して混合器１からの音声信号を選択するように制御を行うことで、音声セレクタ２はそれぞれ独立して音量を調整した音声信号の混合信号を出力して、その混合音声信号は音声出力手段４から外部に出力される。
【００３１】
＜Ｂ−３．効果＞
この発明にかかる本実施の形態２によれば、表示装置１００において、混合器１に入力される各前記音声信号の音量を、それぞれ独立に調整する調整器８をさらに備え、前記制御手段３が、前記調整器８における各前記音量の設定を制御することで、外部に出力する混合音声信号中の各音声入力の音量バランスを、ユーザが自由に決定することができる。
【００３２】
たとえば本表示装置１００をプレゼンテーション時に使用する場合、講演者が特定の音声入力に対して音量を上げることで、重要な内容の信号入力に対して聴講者の注意を喚起することができる。
【００３３】
また、この発明にかかる実施の形態２によれば、表示装置１００において、前記制御手段３を操作する操作部７をさらに備えることで、制御手段３の操作を行い、表示装置１００を、ユーザの操作によって行うことができる。
【００３４】
＜Ｃ．実施の形態３＞
＜Ｃ−１．構成＞
図３はこの発明の実施の形態３の表示装置１００の音声処理部１０１を示すものである。実施の形態１における表示装置１００の音声処理部１０１において、各音声入力からの信号を音声セレクタ２および混合器１に入力すると同時に、信号レベルの検知器９にも同じ音声信号を入力し、検知器９は入力音声の信号レベルの検知結果を制御手段３に伝える構成とする。他の構成要素に関しては、実施の形態１に示すものと同様であるので、説明は省略する。
【００３５】
＜Ｃ−２．動作＞
このように構成された表示装置１００の音声処理部１０１において、検知器９からの信号レベルの検知結果を受けた制御手段３は、検知された信号レベルがあらかじめ定められた一定レベルを超える場合に音声入力が存在すると判断を行う。
【００３６】
その結果、単独の音声入力しか存在しないと判断した場合には、制御手段３は音声セレクタ２の出力を検知された音声入力を出力するように切り替え、あるいは複数の音声信号が存在すると判断した場合には、混合器１に対して検出された音声信号を全て混合するように制御を行い、音声セレクタ２に対して混合器１からの音声信号を選ぶように自動的に制御を行う。
【００３７】
制御手段３からの指示により、混合器１は指定された任意の音声信号を混合して出力し、音声セレクタ２は単独の音声入力か混合音声入力かを選択して出力する。音声出力手段４はセレクタ２の選択した単独の音声信号もしくは混合音声信号を外部に出力する。
【００３８】
なお本実施の形態３において、制御手段３は時間カウンタを内蔵して特定の期間以上の音声信号が検出された、もしくは検出されない場合に混合器１と音声セレクタ２を切り替えるように制御してもよい。
【００３９】
＜Ｃ−３．効果＞
この発明にかかる本実施の形態３によれば、表示装置１００において、前記音声入力手段から入力される各前記音声信号の信号レベルを検知する検知器９をさらに備え、前記制御手段３は、前記検知器９における前記信号レベルに応じて、前記混合器１、前記音声セレクタ２の制御を行うことで、有効な音声入力の信号を選択して出力する、もしくは混合して出力するかを自動的に切り替えることができる。
【００４０】
複数の音声信号入力を表示装置１００に接続する場合に、その音声入力の一部が一時的に途切れたとき、音声信号として有効なレベルの信号だけを選んで混合して外部に出力するか、あるいは単独の音声信号を選択して出力することができる。たとえば、一部の信号源にマイクを使う場合、ユーザが発言していない時のマイクからの音声信号を混合せずに外部に出力できるので、マイクからの背景ノイズによる妨害を受けずに別に接続している信号源の音声信号を出力することができる。
【００４１】
また、この発明にかかる本実施の形態３によれば、表示装置１００において、前記制御手段３は、前記検知器９における前記信号レベルが所定値を超えるか否かで、各前記音声信号の入力の有無を判断し、存在する入力が１つと判断される場合は、存在すると判断される１つの音声信号を出力するように前記音声セレクタ２を制御し、存在する入力が複数と判断される場合は、存在すると判断される複数の音声信号を混合し、混合した音声信号を出力するように前記混合器１、および前記音声セレクタ２を制御することで、有効な音声入力の信号を選択して出力する、もしくは混合して出力するかを自動的に切り替えることができる。
【００４２】
また、この発明にかかる実施の形態３によれば、表示装置１００において、前記制御手段３を操作する操作部７をさらに備えることで、制御手段３の操作を行い、表示装置１００を、ユーザの操作によって行うことができる。
【００４３】
加えて、各音声入力の信号レベルを検知する検知器９と、各音声入力の信号レベルを調整して混合器１に出力する調整器８の両方を備えることで、混合音声信号中の各音声入力の混合比率を、自動的に調整することができる。
【００４４】
＜Ｄ．実施の形態４＞
＜Ｄ−１．構成＞
図４はこの発明の実施の形態４の表示装置１００の音声処理部１０１を示すものである。実施の形態１における表示装置１００の音声処理部１０１において、さらに各音声入力に対する音声出力の信号レベルをそれぞれ独立して調整する調整器８と、音声入力信号のレベルを検知する検知器９と、音声入力の信号レベルと調整器８のゲイン設定の関係を示す情報を記録する記憶部１０と、記憶部１０の情報に従い、実施の形態１における制御に加えて調整器８の各音声入力に対するゲイン設定も行う制御手段３を備え、各音声入力手段からの音声入力は調整器８を介して混合器１に入力されている。なお、他の構成要素に関しては、実施の形態１に示すものと同様であるので、説明を省略する。
【００４５】
＜Ｄ−２．動作＞
このように構成された表示装置１００の音声処理部１０１において、各音声入力の検知器９からの信号レベルの検知結果を受けた制御手段３は、検知された信号レベルから音声入力が存在するか否かの判断を行うだけでなく、記憶部１０に記録された音声入力の信号レベルと調整器８のゲインの関係と、検知された音声信号レベルから調整器８のゲインを自動的に決定する。
【００４６】
この検知結果から、制御手段３は調整器８の各音声入力に対するゲイン設定を行い、混合器１に対して音声入力が存在すると判断した音声入力信号を混合して出力するように指示すると同時に、音声セレクタ２に対して混合器１からの音声信号を選ぶように自動的に制御を行う。調整器８は、設定に基づき出力する音声信号レベルを調整し、混合器１で混合された音声信号を音声セレクタ２が選択することで、音声出力手段４から各音声入力に対して独立して信号レベルを自動的に調整した混合音声信号が出力される。
【００４７】
なお本実施の形態において、制御手段３は検知器９で検知された信号レベルから判断せず操作部７からの指示に従って、混合する音声信号を選択するように混合器１を制御してもよい。
【００４８】
＜Ｄ−３．効果＞
この発明にかかる本実施の形態４によれば、表示装置１００において、前記検知器９において検知した各前記信号レベルと、前記調整器８のゲインとの関係を記録する記憶部１０をさらに備え、前記制御手段３は、前記記憶部１０においてあらかじめ記録した前記関係に応じて、前記調整器８のゲインを制御することで、複数の音声入力手段からの音声信号を混合して外部に出力する場合に、個々の音声入力手段から異なる信号レベルの音声信号が入力されたとき、自動的に音量バランスを調整することができる。
【００４９】
例えば会議システムで本表示装置１００を使った場合、検知した各音声入力のレベルに応じて調整器８で各音声信号を均一な音量に調整した後に混合して外部に出力することで、出席者の各人の発言を全員に明瞭に理解させることができる。
【００５０】
また、この発明にかかる本実施の形態４によれば、表示装置１００において、前記記憶部１０は、前記音声信号の前記検知器９における前記信号レベルが大きいとき前記調整器８のゲインを下げ、前記音声信号の前記検知器９における前記信号レベルが小さいとき前記調整器８のゲインを上げる関係を記録することで、複数の音声入力手段からの音声信号を混合して外部に出力する場合に、個々の音声入力手段から異なる信号レベルの音声信号が入力されたとき、自動的に音量バランスを調整することができる。
【００５１】
たとえば、図５のように音声入力の信号レベルが大きくなるときに調整器８のゲインを下げるような関係を記録すると、音声入力にライン出力とヘッドホン出力のような異なる信号レベルを持つ信号源を同時に接続する場合でも、自動的に信号源間の音量が均一になるように調整することができる。
【産業上の利用可能性】
【００５２】
本発明の活用例として、会議室や教室などのプレゼンテーションで用いられるプロジェクターやプラズマディスプレイなどの表示装置に適用できる。
【図面の簡単な説明】
【００５３】
【図１】この発明の実施の形態１で表示装置を示す構成図である。
【図２】この発明の実施の形態２を示す表示装置の音声処理部の構成図である。
【図３】この発明の実施の形態３を示す表示装置の音声処理部の構成図である。
【図４】この発明の実施の形態４を示す表示装置の音声処理部の構成図である。
【図５】実施の形態４における音声入力レベルと調整器のゲインの関係例を示す図である。
【図６】従来の表示装置における表示映像と外部出力音声の関係図である。
【符号の説明】
【００５４】
１  混合器、２  音声セレクタ、３  制御手段、４  音声出力手段、５  映像セレクタ、６  表示手段、７  操作部、８  調整器、９  検知器、１０  記憶部、１１  信号源、１００  表示装置、１０１  音声処理部。
【図１】
2010135952.tif 000003
【図２】
2010135952.tif 000004
【図３】
2010135952.tif 000005
【図４】
2010135952.tif 000006
【図５】
2010135952.tif 000007
【図６】
2010135952.tif 000008